(57)【要約】【課題】  花束を包んで和装に合う存在感あるものとし、さらには贈答品,インテリア等にもなり、高級感,気品,自由性,オリジナリティ豊かなフラワー用外装具を提供する。【解決手段】  布地からなる一又は複数の表皮片20が縫糸21aにより縫合されてブーケBQ又は花束HAの下半部を包むことができる大きさの上面開口22にして筒状に形成される外装体2と、ブーケBQに係るブーケホルダー5の柄部5a又は花束HAの下端部を挿着できる大きさの上側開口71を有する管体70を主要部にして、その上端寄りの管側壁に通孔73が形成され、さらに該管体の外周壁に凸部75又は凹部77が設けられてなるインナー管体7と、通孔73に挿通して該インナー管体に取着される線状部材8と、インナー管体7が外装体2の下部に挿置される状態にして、該外装体の下部の外周面を周回して結束できる長さを有する紐状体3と、を具備する。【選択図】  図１
2009062092.tif 000002
【特許請求の範囲】
【請求項１】
布地からなる一又は複数の表皮片(20)が縫糸(21a)により縫合されてブーケ又は花束の下半部を包むことができる大きさの上面開口(22)にして筒状に形成される外装体(2)と、
前記ブーケに係るブーケホルダーの柄部又は花束の下端部を挿着できる大きさの上側開口を有する管体を主要部にして、その上端寄りの管側壁に通孔が形成され、さらに該管体の外周壁に凸部又は凹部が設けられてなるインナー管体(7)と、
前記通孔に挿通して該インナー管体に取着される線状部材(8)と、
前記インナー管体が前記外装体の下部に挿置される状態にして、該外装体の下部の外周面を周回して結束できる長さを有する紐状体(3)と、を具備し、
前記インナー管体が挿置された前記外装体の下部を該紐状体で結束することにより、該外装体の上部をラッパ状に広げてブーケ又は花束の下半部を包みつつ該外装体の下部を棒状にし、さらに該インナー管体に挿着されるブーケ又は花束を前記線状部材で係止するようにしたことを特徴とするフラワー用外装具。
【発明の詳細な説明】
【技術分野】
【０００１】
本発明はブーケに係るブーケホルダーや花束の下半部を収納して気品,豪華さを演出するフラワー用外装具に関する。
【背景技術】
【０００２】
結婚式などで花束が用いられるが、これ迄の花束は通常、樹脂フィルムでラッピングし、リボンなどで飾っていた。花束の花が主役で樹脂フィルムのラッピングは花束の形を崩さぬよう形を整える補助的役割を果たすにすぎなかった。こうしたなか、花束の見栄え向上を果たす花卉用包装材の発明技術が提案されている（特許文献１)。
【０００３】
【特許文献１】特開２００５−１４９８７公報
【発明の開示】
【発明が解決しようとする課題】
【０００４】
しかしながら、特許文献１の基端部から開口端部に向けてテーパ状に広がる花卉用包装材は、花卉用包装材にボリューム感を与え花卉の見栄えを良くする内容にとどまっていた。また、外側包装体にメッシュを用い、内側包装体に不織布を用いるが、いずれも化学繊維製品にして熱融着で両者を接着する技術であり、花束の包装作業の迅速化に重きをなしていた。特許文献１の花卉用包装材から得られる装飾性には限界があった。
【０００５】
一方、ウエディングドレスを着るときは図１５に示すようなブーケをもつのが一般的であるが、花の部分で楽しむのが殆どであった。ブーケを手で持つブーケホルダー(図１４)の柄部５ａにリボンを巻いて処理するのがやっとであった。柄部５ａのプラスチック製部分はむき出しになっており、花の部分とは対照的に見劣りしていた。
また、結婚式で、白無垢や打ち掛けなどを着る時、手に扇子を持つのがしきたりであるが、希望で花を持ちたいと願っても従来のブーケでは似合わなかった。ブーケでは、和服の豪華さに負けてしまい、ブーケの精彩がなくなった。そもそも和装イメージにそぐわなかった。花の部分の変化,対応だけでは解決し得なかった。
【０００６】
本発明は上記問題点を解決するもので、花束やブーケを包んで、和装に合う存在感あるものとし、さらには贈答品、セレモニー等での贈呈品や室内等を飾るインテリアにもなり、これまでの花束の包装材,包装具と違った高級感、気品、自由性、オリジナリティ豊かなフラワー用外装具を提供することを目的とする。
【課題を解決するための手段】
【０００７】
前記目的を達成すべく、請求項１に記載の発明の要旨は、布地からなる一又は複数の表皮片(20)が縫糸(21a)により縫合されてブーケ又は花束の下半部を包むことができる大きさの上面開口(22)にして筒状に形成される外装体(2)と、前記ブーケに係るブーケホルダーの柄部又は花束の下端部を挿着できる大きさの上側開口を有する管体を主要部にして、その上端寄りの管側壁に通孔が形成され、さらに該管体の外周壁に凸部又は凹部が設けられてなるインナー管体(7)と、前記通孔に挿通して該インナー管体に取着される線状部材(8)と、前記インナー管体が前記外装体の下部に挿置される状態にして、該外装体の下部の外周面を周回して結束できる長さを有する紐状体(3)と、を具備し、前記インナー管体が挿置された前記外装体の下部を該紐状体で結束することにより、該外装体の上部をラッパ状に広げてブーケ又は花束の下半部を包みつつ該外装体の下部を棒状にし、さらに該インナー管体に挿着されるブーケ又は花束を前記線状部材で係止するようにしたことを特徴とするフラワー用外装具にある。
【０００８】
請求項１の発明のごとく、布地からなる一又は複数の表皮片(20)が縫糸(21a)により縫合されてブーケ又は花束の下半部を包み込むことができる大きさの上面開口(22)にして筒状に形成される外装体(2)を備えると、布地のフラワー用外装具ができるので、和装に合う存在感ある外装具を作ることができ、これまでの花束の包装品と違った高級感、気品、自由性、オリジナリティ豊かな製品となる。和装結婚式等で使用可能になるばかりか贈答品、セレモニー等での贈呈品や室内等を飾るインテリアにもなり得るフラワー用外装具が出来る。インナー管体が前記外装体の下部に挿置される状態にして、該外装体の下部の外周面を周回して結束できる長さを有する紐状体(3)をさらに具備すると、紐状体が外装体を結束することで該紐状体がアクセントとしてより一層の美しさ,豪華さを演出する。外装体の下部にインナー管体を挿置して、紐状体(3)で該外装体の下部の外周面を周回して結束するので、紐状体が手にもつ把手部分を形成する。インナー管体(7)に係る管体の外周壁に凸部又は凹部が設けられると、該凸部又は凹部に紐状体が係合するようにして該紐状体で結束することにより、外装部とインナー管体とのズレが生じなくなり、両者の一体化が図れるようになる。また、通孔に挿通して該インナー管体に取着される線状部材(8)を備え、インナー管体に挿着されるブーケ又は花束を線状部材で係止すると、該線状部材を介して、ブーケ又は花束とインナー管体が一体化される。フラワー用外装具を手に持ったときに、この紐状体が滑り止め効果を発揮する。インナー管体が挿置された外装体の下部を紐状体で結束すると、ブーケホルダーの柄部が細くて短くてもインナー管体の大きさ、形状を変えることによって、フラワー用外装具の外観を整えることができる。ブーケホルダーの柄部が短い場合も、インナー管体を長くすることで持ち易くなる。さらに、外装体の少なくとも表地用表皮片が西陣織(登録商標)の布地で形成され、且つ前記紐状体が帯紐で形成されると、外装体に日本の伝統的な息吹が吹き込まれ、格調高いフラワー用外装具となって和装の花嫁衣装に一段と似合うものとなる。
【発明の効果】
【０００９】
本発明のフラワー用外装具は、花束やブーケを挿着して、和装に合う品格,豪華さを備えるものとなり、さらに贈答品,贈呈品やインテリア等にも利用可能で、これまでの花束の包装材,包装具では得られなかった高級感,気品,自由性,オリジナリティ豊かな表現が生まれるなど優れた効果を発揮する。
【発明を実施するための最良の形態】
【００１０】
以下、本発明に係るフラワー用外装具(以下、単に「外装具」という。)について詳述する。
(1)実施形態１
図１〜図１１は本発明の外装具の一形態で、図１はインナー管体を外装体の下部に挿入した後、紐状体で結束する様子を示す外装具の斜視図、図２は外装体の分解説明断面図、図３は図２の各構成部品を組みつけてなる外装体の概略縦断面図、図４は図３の外装体の説明画像図、図５はインナー管体の縦断面図、図６は外装体の下部にインナー管体を挿置した縦断面図、図７は図６の後、外装体の下部を紐状体で結束した外装具の説明画像図である。図８は図７又は図１の外装具のインナー管体にブーケを挿着し且つそのブーケを線状部材で係止した姿態を示す縦断面図、図９はインナー管体を図８のものより長くしてなるブーケ入り外装具の縦断面図、図１０は図９の説明画像図、図１１は図９のインナー管体と異なるものを用いた他態様のブーケ入り外装具の縦断面図である。
【００１１】
外装具は外装体２とインナー管体７と線状部材８と紐状体３とを具備する。
外装体２は布地からなる一又は複数の表皮片２が縫糸２１ａにより縫合されてブーケＢＱ又は花束ＨＡの下半部を包むことができる大きさの上面開口２２にして筒状に形成される縫製品である。本発明でいうブーケＢＱとは、ブーケホルダー５(例えば図８や図１４のもの)を用い、その保持ブロック５ｂに花材４を複数本差し入れて寄せ集められて図８や図１５のように複数本の花材４が束ねられたものをいう。本発明でいう花束ＨＡには、複数本の花材を予め束ねたものの他、１本ずつの花材を個別に外装体２の上面開口２２から挿入し、結果的に複数本の花材４が寄せ集められる花束も含む。花材４はブーケＢＱや花束ＨＡを形成する個々の花木で、軸(茎又は枝)に花,花弁４０がついたもの、草花の軸に葉だけがついた枝葉４１のもの、樹木の葉がついた枝を含む。本実施形態の外装体２は、ブーケＢＱの下半部を包み込むことができる大きさの上面開口２２を有する筒状に形成される。ブーケＢＱの下半部を、上面開口２２から挿入し前記外装体２内に収納できる。ブーケホルダー５に複数本の花材４を差し入れて寄せ集められてなるブーケＢＱの下半部を外装体２内に収容する一方、花材４の上部を外装体２外へ出すことができるようになっている。
本実施形態は、晴れ着用きものに使用する帯を長手方向の所定長さに切断して、表地２０ａになる一の表皮片２を切り離す。この一の表皮片２を表側が意匠面２ａになるようにして筒状に丸め、図２,図３のごとく帯幅方向の一端縁部分と切断した帯幅方向の他端縁部分とを互いの意匠面２ａが対向するよう重ね合わせ、さらに裏面側に向けて突き出し縫い代２０１とする。該縫い代２０１に縫糸２１ａによる縫目ライン２１を形成する。一の表皮片２を円筒状に丸めた後、縫い代２０１の重ね合わせ部分を縫糸２１ａで帯幅方向に沿って縫合し、帯幅の長さ全てが縫合され、上側と下側が開口する表地２０ａの筒状部２０Ａを形成する。一方、裏地２０ｂになる一の矩形表皮片２を円筒状に丸めた後、縫い代２０１の重ね合わせ部分を縫糸２１ａで帯幅方向に沿って縫合し、帯幅の長さ全てが縫合され、上側と下側が開口する裏地筒状部２０Ｂを形成する。表地筒状部２０Ａ及び裏地筒状部２０Ｂはその筒内径が上下方向に亘って略同径の円筒形になっている。裏地２０ｂの筒状部の高さは表地２０ａの筒状部の高さの約１／２とする。またゴム紐などで環状体にした紐状弾性環２６が準備される。外装体２をインナー管体７に被せ外装体２の下部にインナー管体７が挿置されるが、弾性環２６が配される箇所のインナー管体７の外径よりも該弾性環２６の内径の方を小さくする。外装体２がインナー管体７に被着されると、弾性環２６がインナー管体７の外周面を締め付け、外装体２にインナー管体７を仮固定できる。
【００１２】
外装体２は例えば前記表地筒状部２０Ａと裏地筒状部２０Ｂと弾性環２６を用いて次のようにして作られる。先ず、図２のごとく表地筒状部２０Ａの表側が意匠面になるようにして、その意匠面側の上部分を筒内側に折り、さらにその筒内側に弾性環２６を潜り込ませて、該弾性環２６が表地筒状部２０Ａの高さ方向のほぼ中間位置に配されるよう縫糸２７で縫い付ける(図３)。次いで、裏地筒状部２０Ｂを表地筒状部２０Ａ内に配設し、該裏地筒状部２０Ｂの上縁２０Ｂ１を、表地筒状部２０Ａの上部分が筒内側に折り曲げられた先端縁２０Ａ１に縫合するとともに、該裏地筒状部２０Ｂの下縁２０Ｂ２を、表地筒状部２０Ａの下部分が筒内側へ折り曲げられた先端縁２０Ａ２に縫合する。この縫合によって、図３,図４のごとくの外装体２が出来上がる。表地筒状部２０Ａの縫い代２０１を裏地筒状部２０Ｂの裏面に対向させ、また裏地筒状部２０Ｂの縫い代２０１を表地筒状部２０Ａの裏面に対向させることによって、表地２０ａ,裏地２０ｂで二重重ねになった外装体２の外観から両縫い代２０１が隠れる。符号２０ａ１は表地２０ａに設けられた柄を示す。
【００１３】
ところで、外装体の表地２０ａ用表皮片２を織物からなる布地とするとより好ましくなる。織物で作られる外装体２そのものが装飾品になり、花材４を束ねた花束ＨＡの花やブーケＢＱの等の花に劣らない華やかさを演出できるからである。織物のもつ美しさ,風合いから、本発明は外装体２の表地２０ａを織物の表皮片２の縫製によって作成する。織物は編物に比べて腰をしっかりさせることができ、外装体２の形が崩れ難い長所がある。柄模様の入った織物が好ましく、西陣織(登録商標)の織物で作られるのがより好ましい。西陣織は、「京都西陣を本拠地として製造,販売に従事する個人または団体が製織する織物で、機業の各工業組合規定の証紙,検印の押されたもの。帯,着尺,ネクタイ,洋服地,緞帳など多品種にわたるが、長い伝統に基づく技術や意匠の蓄積、新しい技術,意匠の開発によって、手工芸性を加味した高級紋織物として著名。」(広辞苑)であり、また「京都の西陣から産出する織物の総称。主として錦,繻子,金襴,緞子などの高級絹織物」(大辞泉)をいう。
【００１４】
外装体２には縦方向の略中間位置に外装体２の筒内径に沿って前記弾性環２６が配設され、該弾性環２６がその部分の外装体２の筒径を絞る。符号ＷＲは弾性環２６による外装体２の絞りシワを示す。弾性環２６が在ることによって、外装体２は常態下で図３,図４のごとく弾性環２６のある部分の内径が小さくなる。弾性環２６は外装体２内にインナー管体７が挿置されると、該インナー管体７を弾性復元力で保持すると共に該弾性環２６の括れ部分よりも下が手で持つ所であることを示す目印的役割を果たす。
【００１５】
インナー管体７は外装具になったときに外装体２内に配置される内設部材である。インナー管体７は、ブーケＢＱに係るブーケホルダー５の柄部５ａ又は花束ＨＡの下端部を挿着できる大きさの上側開口７１を有する管体７０を主要部にして、その上端寄りの管側壁に通孔７３が形成される。更に該管体の外周壁に凸部７５又は凹部７７が設けられる。該凸部７５又は凹部７７を設けることによって、インナー管体７が挿置された外装体２の下部を紐状体３で結束すれば、該凸部７５又は凹部７７に紐状体３を係止させ、紐状体３,外装体２,インナー管体７の一体化が図れるようになる。本実施形態のインナー管体７に係る管体７０は、ブーケホルダー５の柄部５ａを装着できる筒内径を有する筒状体で、柄部５ａよりも筒外径及び筒長さ共に一回り大きな円筒である。管体７０は、織物からなる外装体２と違って、手で握るぐらいでは変形しない剛体からなる。管体７０は合成樹脂製又は剛性のある硬質厚紙製等のパイプで形成される。ここでは、合成樹脂製と違ってぬくもり感があるクラフトラック専用の紙管(商品名：Craft  rackの組み立て用部品、販売元：natuko６５)を必要長さに切断して管体７０に用いる。管体７０の上端寄りに線状部材８が挿通し得る通孔７３を形成する。管体７０の外周壁に設ける凸部７５は、例えば図５(イ)のように所定厚ｔのテープを貼着して管体７０の外周壁と段差を形成して該凸部７５とする。また管体７０の外周壁に設ける凹部７７は、例えば図５(ロ)のように管体外壁を所定深さまで削って該凹部７７とする。ここでは、所定厚みｔがある滑り止めテープ７６(商品名：マット用ノンスリップテープ、発売元：株式会社セリア)で凸部７５を形成する。該滑り止めテープ７６は、厚み約２mmの樹脂製発泡体シートを４cm幅のテープ状にし、さらにその表面に凹凸粗面７６ｂをつけて滑り止め機能をもたせる一方、裏面には粘着剤７６ａを付与している。粘着剤を覆っている離型紙を剥がした後、粘着剤側を管体７０の外周壁に向けて滑り止めテープ７６を貼着するだけで、インナー管体７たる凸部７５付き管体７０になる。滑り止めテープ７６は管体７０の外周面を一巻きするようにして取着される。
【００１６】
線状部材８は、針金や糸材等の線条品で、インナー管体７に挿着されたブーケ又は花束を係止できる長さに切断したものである。インナー管体７に挿着されるブーケホルダー５の保持ブロック５ｂに線状部材８を挿入してブーケＢＱを係止したり、線状部材８でブーケＢＱ又は花束ＨＡの基端部分を縛ったりすることができる。該線状部材は通孔７３に挿通してインナー管体７に取付られる。図８は、外装体２の上部をラッパ状に広げてブーケＢＱの下半部を包みつつ該外装体２の下部を棒状にした外装具にあって、インナー管体７に挿着されるブーケＢＱの保持ブロック５ｂへ針金からなる線状部材８を突き刺してブーケＢＱを係止する姿態を示す。ブーケＢＱは図示のごとくのブーケホルダー５を使用する。柄部５ａの付け根に形成した拡部５ａ１からラッパ状に広がる受器部５ｃが延設され、該受器部に商品名「オアシス」と呼ばれる保持ブロック５ｂを収納した後、篭体５ｄで囲ったブーケホルダー５を用いる。保持ブロック５ｂに所定間隔で種々の花材４の軸４ａを差し込んでブーケＢＱができる。このブーケＢＱの柄部５ａを外装具のインナー管体７に挿入すると、該インナー管体の開口縁７０ａに拡部５ａ１が当接してブーケＢＱが外装具に装着される。そして、線状部材８の係止によってブーケＢＱと外装具（直接的にはインナー管体７)との一体化が図られる。保持ブロック５ｂから突き出た線状部材８の先端部分に結び目８１(図１２参照)をつくれば、両者のより強力な一体化が図られる。
【００１７】
紐状体３は、インナー管体７が外装体２の下部に挿置される状態にして、該外装体２の下部の外周面を周回して結束できる長さを有する紐状のものである。
外装体２内にインナー管体７を挿置すると、該インナー管体７を弾性環２６の弾性復元力で保持するが、このままでは外装体２の下半部は図３,図４のごとくスカート状に広がる。インナー管体７が挿置された外装体２の下部を該紐状体３で結束することにより、該外装体２の上部をラッパ状に広げてブーケＢＱ又は花束ＨＡの下半部を包みつつ、外装体２の下部を棒状にして、手で持ち易く且つ外装具としての形を整える。こうして出来た外装具にブーケＢＱを挿着すると、図８〜図１０のごとく美しく映える。花束ＨＡや花を生けたブーケＢＱ等の下部を収納した外装体２の外面下部を紐状体３で巻くことによって、より一層の気品,豪華な雰囲気が味わえる。外装体２の下半部に巻回結束された紐状体３がつくる凹凸が手で持ったときの滑り止めになる。紐状体３は外装体２を結束できる紐状のものであれば特に問わないが、高級感を出すためにきものの帯紐がより好ましい。符号３０は帯紐の主部、符号３１は帯紐の房を示す。外装体２の表地２０ａが西陣織等の織物で形成されると、より一層の高級感を醸し出す相乗効果が発揮される。
図９,図１０は、図１〜図８のインナー管体７に代えてこれよりも長いインナー管体７を用い、さら該インナー管体に合わせて外装体２の縦長さを長くした外装具の他態様を示す。インナー管体７を長くして手に持つ部分Ｌを長くした外装具は、全体バランスが良くまたより手に持ち易くなる。
【００１８】
インナー管体７については、また図１１のような他態様品を用いることができる。図１１のインナー管体７に係る管体７０は、図示のごとくほぼ中空円錐台の形状にして、ブーケＢＱに係るブーケホルダー５の柄部５ａ又は花束ＨＡの下端部を挿着できる大きさの上側開口７１を有する。中空円錐台状の管体７０にすることで、テーブルＴＬなどの上に図示のごとくブーケＢＱや花束ＨＡを生けた外装具をそのまま立てて飾ることができる。インナー管体７の下底面積部分をブーケＢＱ(又は花束ＨＡ)の平面視大きさよりも大きくさせて、ブーケＢＱ(又は花束ＨＡ)入り外装具を安定設置させることができる。
【００１９】
(2)実施形態２
図１２は図７,図８の外装具に花材４を束ねた花束ＨＡをインナー管体７に挿着し且つその花束ＨＡを線状部材８で係止した姿態を示す縦断面図、図１３は図１２の説明画像図である。外装具は実施形態１のようなブーケＢＱだけでなく、ブーケホルダー５を使わず、複数の花材４を直接束ねてインナー管体７に挿着し飾ることができる。実施形態１のブーケＢＱのときの外装体２,インナー管体７に代えて、花束ＨＡの下半部を包むことができる大きさの上面開口２２にして筒状に形成される外装体２と、花束ＨＡの下端部を挿着できる大きさの上側開口７１を有する管体７０を主要部にして、その上端寄りの管側壁に通孔７３が形成され、さらに該管体の外周壁に凸部７５又は凹部７７が設けられるインナー管体７と、を備える。そして、インナー管体７が挿置された外装体２の下部を紐状体３で結束することにより、外装体２の上部をラッパ状に広げて花束ＨＡの下半部を包みつつ、外装体２の下部を棒状にし、さらにインナー管体７に挿着される花束ＨＡを線状部材８で係止することができる。管体７０のすぐ上で花材４の軸が束ねられた花束ＨＡの基端部分を、線状部材８で結束して、花束ＨＡとインナー管体７の一体化が図られる。他の構成は実施形態１と同様で、その説明を省く。実施形態１と同一符号は同一又は相当部分を示す。
【００２０】
(3)効果
このように構成した外装具は、その外装体２が布地、特にその表地が織物で形成されることによって、これにブーケＢＱや花束ＨＡの花材４を収納した時、花材のみならず花材下部を覆う外装具が従来の合成樹脂フィルム等の包装具にない豪華さを演出する。特許文献１の花卉用包装材が、透明樹脂フィルムや樹脂製不織布などの花束ＨＡの花材４を包み、花を引き立たせるだけの脇役であったのに対し、外装体２の少なくとも表地が織物からなる表皮片２を縫糸２１ａにより縫合して形づくられることによって、外観,風合い,感触等で、落ち着いた趣き,重厚さ,高級感等を表現でき、ブーケＢＱや花束ＨＡの花材４と一緒に美を作り上げる主役になる。外装具と花材４とが合体し、花で飾られた外装具は、外装具自らが豪華な雰囲気を醸しだし、花材４と織物のもつ外装具が融和し斬新な造形美をつくる。さらに西陣織の表皮片２によって外装具が形成されると、気品が備わり且つ豪華絢爛となる。白無垢や打ち掛けなどを着る結婚式で、花束ＨＡが挿着された花束ＨＡの外装具を手にしても、従来のブーケＢＱと打って変わって、和服の豪華さに負けることがない。花を飾った外装具は品格溢れる美しさ、和の神髄が味わえ、和装結婚式を引き立てる立派な商品になる。織物の表皮片２で上面開口２２の筒状に縫製した外装体２がブーケＢＱや花束ＨＡの花材４と共に美を作り上げる主役になる。外装体２の表地２０ａが織物、特に西陣織(登録商標)等の柄模様の入った織物で形成されると、より一層の高級感を醸し出す。日本独特の素材たる西陣織の表皮片２が縫糸２１ａにより縫合されて外装体２に形
成されると、日本の伝統的な息吹きが外装体２に吹き込まれ、ブーケＢＱや花束ＨＡが挿着された外装具は、該外装具が花材４と共に華やかに輝く。外装具が花を盛り立て、また花束ＨＡが外装具を盛り立てる新しい商品が生まれる。花束ＨＡやブーケＢＱを包んで、和装に合う存在感あるものとなり、花嫁衣装にマッチする。図１〜図１２のごとく、外装体２の表地２０ａが一の表皮片２で縫製加工されると、縫目ライン２１が少なく見栄えが良く、また縫製作業が少なくて済む。外装具は見た目にも華やかで、且つこれまでの花束ＨＡ用ラッピング包装紙と違って、使い捨てでなく、花を入れ替え何度も繰り返し使用が可能になる。外装具に花束ＨＡが挿着されると、花材４に表皮片２の縫製品たる外装具が落ち着きある和の雰囲気を与えつつ、新しい感性が吹き込まれた花束ＨＡ入り外装具が誕生する。プレゼントの品として、また贈答品として用いることができ、さらにセレモニー等での贈呈品や室内等を飾るインテリアにもなり得る。
【００２１】
また、花束ＨＡや花を生けたブーケＢＱ等の下部を収納した外装体２の外面下部を紐状体３で結束すると、一層の気品,豪華さが生まれる。花束ＨＡ等を収納した後、紐状体３で外装体２の外面下部を縛ることによって、手で持ち易くなる。外装体２を縛る紐状体３によって外装具の形状が安定し、インテリア等としてそのまま飾ることができる。紐状体３に係る組み紐の結び方も多種あるので、これらの方法を応用して使うと結納品のような格調高いものが出来上がり、また紐結びの勉強にもなる。
そして、インナー管体７が挿置された外装体２の下部を紐状体３で結束する際、管体７０の外周壁に凸部７５又は凹部７７が設けられているので、該凸部７５又は凹部７７に紐状体３が係止するように結束すれば、インナー管体７と外装体２との一体化が図られる。インナー管体７が外装体２から抜け落ちることがない。滑り止めテープ７６で凸部７５を形成すると、外装具製作の作業性向上,低コスト化につながる。加えて、インナー管体７に挿着されるブーケ又は花束を線状部材８で係止することによって、該線状部材８を介して、ブーケＢＱ又は花束ＨＡをインナー管体７に一体化できる。かくして、ブーケＢＱ又は花束ＨＡと外装具との一体化が図られるので、ブーケ又は花束入り外装具を傾けたり横向けたりしても、外装具からブーケや花束が抜け出ることがない。披露宴等で、ブーケ又は花束入り外装具を手に持ってお辞儀した時などで、一緒に外装具を傾けても不都合,支障がない。取扱い,品質上も極めて優れた外装具になっている。
【００２２】
尚、本発明においては、前記実施形態に示すものに限られず、目的,用途に応じて本発明の範囲で種々変更できる。外装体２,紐状体３,インナー管体７,線状部材８等の形状,大きさ,材質等は用途等に合わせて適宜選択できる。
【図面の簡単な説明】
【００２３】
【図１】実施形態１で、インナー管体を外装体の下部に挿入した後、紐状体で結束する様子を示す外装具の斜視図である。
【図２】外装体の分解説明断面図である。
【図３】図２の各構成部品を組みつけてなる外装体の概略縦断面図である。
【図４】図３の外装体の説明画像図である。
【図５】インナー管体の縦断面図である。
【図６】外装体の下部にインナー管体を挿置した縦断面図である。
【図７】図６の後、外装体の下部を紐状体で結束した外装具の説明画像図である。
【図８】図７又は図１の外装具のインナー管体にブーケを挿着し且つそのブーケを線状部材で係止した姿態を示す縦断面図である。
【図９】インナー管体を図８のものより長くしてなるブーケ入り外装具の縦断面図である。
【図１０】図９の説明画像図である。
【図１１】図９のインナー管体と異なるものを用いた他態様のブーケ入り外装具の縦断面図である。
【図１２】図７,図８の外装具に花材を束ねた花束をインナー管体に挿着し且つその花束を線状部材で係止した姿態を示すである。
【図１３】図１２の説明画像図である。
【図１４】ブーケホルダーの一例を示す斜視図である。
【図１５】図１４のブーケホルダーを用いて作製したブーケの一例を示す斜視図である。
【符号の説明】
【００２４】
２                      外装体
２０                    表皮片
２１ａ                  縫糸ａ
２２                    上面開口
３                      紐状体
５                      ブーケホルダー
５ａ                    柄部
７                      インナー管体
７０                    管体
７１                    上側開口
７３                    通孔
７５                    凸部
７７                    凹部
８                      線状部材
ＨＡ                    花束
ＢＱ                    ブーケ
【図１】
2009062092.tif 000003
【図２】
2009062092.tif 000004
【図３】
2009062092.tif 000005
【図５】
2009062092.tif 000006
【図６】
2009062092.tif 000007
【図８】
2009062092.tif 000008
【図９】
2009062092.tif 000009
【図１１】
2009062092.tif 000010
【図１２】
2009062092.tif 000011
【図１４】
2009062092.tif 000012
【図１５】
2009062092.tif 000013
【図４】
2009062092.tif 000014
【図７】
2009062092.tif 000015
【図１０】
2009062092.tif 000016
【図１３】
2009062092.tif 000017